(57)【特許請求の範囲】
【請求項１】
テスタコマンド入力・結果表示画面生成機能と複数の操作画面生成機能を有するＬＳＩテスタにおいて、
前記テスタコマンド入力・結果表示画面生成機能は実体テスタコマンド入力・結果表示画面生成機能と仮想テスタコマンド入力・結果表示画面生成機能に分割され、
前記仮想テスタコマンド入力・結果表示画面生成機能は前記各操作画面生成機能に画面生成ツールとして実装され、
前記実体テスタコマンド入力・結果表示画面生成機能は前記各仮想テスタコマンド入力・結果表示画面生成機能の表示情報を一元的に管理することを特徴とするＬＳＩテスタ。
【請求項２】
前記操作画面は、複数の操作画面を１枚の画面に統合した統合画面を含むことを特徴とする請求項１記載のＬＳＩテスタ。
【請求項３】
前記操作画面生成機能に画面生成ツールとして実装された仮想テスタコマンド入力・結果表示画面生成機能は、各操作画面の所定の領域に必要に応じて選択的に表示されることを特徴とする請求項１または請求項２記載のＬＳＩテスタ。
【発明の詳細な説明】
【技術分野】
【０００１】
本発明は、ＬＳＩテスタに関し、詳しくは、ユーザーインタフェースとして機能する操作用表示画面の改良に関するものである。
【０００２】
ＬＳＩテスタでは、ユーザーインタフェースとして機能する操作用表示画面を生成するために、テスタコマンド入力・結果表示画面生成機能と複数の操作画面生成機能を設けることが行われている。
【０００３】
図２は、これらの機能を有する従来のＬＳＩテスタの構成例を示すブロック図である。図２において、ＬＳＩテスタの入出力操作部に関連するＬＳＩテスタ下層部１には、バスを介して、テスタコマンド入力・結果表示画面生成部２、デバッグ画面生成部３、量産検査画面生成部４、評価解析画面生成部５、表示部６などが接続されている。
【０００４】
テスタコマンド入力・結果表示画面生成部２は、ＬＳＩテスタのソフトウェアシステムを構成する基本ユーザーインタフェースプログラムに基づき駆動される。デバッグ画面生成部３、量産検査画面生成部４および評価解析画面生成部５は、テスタコマンド入力・結果表示画面生成部２で生成されるテスタコマンド入力・結果表示画面を介してキャラクタベースのコマンドを入力しながら、それぞれ所定の画面を生成するように動作する。
【０００５】
なお、デバッグ画面は、検査対象ＬＳＩの仕様に基づいて作成されるテスト用プログラムのデバッグ作業時に用いられる。量産検査画面は、ＬＳＩ製造工場の検査工程におけるパス／フェイルの検査結果表示用に用いられる。評価解析画面は、検査対象ＬＳＩのロット別や品種別などの各種統計処理や不良解析処理などに用いられる。
【０００６】
これらテスタコマンド入力・結果表示画面生成部２、デバッグ画面生成部３、量産検査画面生成部４および評価解析画面生成部５で生成された各画面は、表示部６にマルチウィンドウ形式で部分的に重ね合わせるようにして表示される。
【０００７】
特許文献１にはＬＳＩテスタにおける操作画面の構成が記載されている。
【０００８】
【特許文献１】特開２００１−２０９５２０号公報
【０００９】
ところで、図２の構成において、テスタコマンド入力・結果表示画面生成部２で生成されるテスタコマンド入力・結果表示画面は、ユーザーからのキャラクタベースのコマンドの入力、その結果表示、ＬＳＩテストシステムからのメッセージ出力を行うとともに、ＬＳＩテスタのソフトウェアシステムを構成する他のＧＵＩプログラムを補完する機能を有する操作画面の中心的存在になっているものであり、表示部６の表示画面上においてほぼ１／２の面積を占める状態で常時表示されている。
【発明の開示】
【発明が解決しようとする課題】
【００１０】
しかし、近年のＬＳＩテスタでは、ＧＵＩプログラムの充実に伴って画面の統合化も進化していることにより、表示部６の表示画面上におけるテスタコマンド入力・結果表示画面の存在が画面構成やウインドウ操作性などの阻害要因となることがあり、以下のような問題が顕在化しつつある。
【００１１】
ａ）テスタコマンド入力・結果表示画面が他の操作画面を隠してしまう。
ｂ）操作画面においてコマンド入力をするためには、操作画面からテスタコマンド入力・結果表示画に切り替えなければならず、手間がかかる。
ｃ）キャラクタベースのコマンド入力が不要の場合であっても、テスタコマンド入力・結果表示画面が表示部７の表示画面のかなりの部分を占めていて、テスタコマンド入力・結果表示画面の存在や大きさを他の操作画面や統合環境が制御できない。
ｄ）キャラクタベースのコマンド入力インタフェースから操作画面にユーザーを誘導しにくい。
【００１２】
本発明は、このような課題を解決するものであり、その目的は、テスタコマンド入力・結果表示画面の機能・利便性を損なうことなく表示画面にテスタコマンド入力・結果表示画面以外の操作画面も適切な大きさで表示できる操作性の優れたＬＳＩテスタを実現することにある。
【課題を解決するための手段】
【００１３】
このような課題を達成するために、本発明のうち請求項１記載の発明は、テスタコマンド入力・結果表示画面生成機能と複数の操作画面生成機能を有するＬＳＩテスタにおいて、前記テスタコマンド入力・結果表示画面生成機能は実体テスタコマンド入力・結果表示画面生成機能と仮想テスタコマンド入力・結果表示画面生成機能に分割され、前記仮想テスタコマンド入力・結果表示画面生成機能は前記各操作画面生成機能に画面生成ツールとして実装され、前記実体テスタコマンド入力・結果表示画面生成機能は前記各仮想テスタコマンド入力・結果表示画面生成機能の表示情報を一元的に管理することを特徴とする。
【００１４】
請求項２記載の発明は、請求項１記載のＬＳＩテスタにおいて、前記操作画面は、複数の操作画面を１枚の画面に統合した統合画面を含むことを特徴とする。
【００１５】
請求項３記載の発明は、請求項１または請求項２記載のＬＳＩテスタにおいて、前記操作画面生成機能に画面生成ツールとして実装された仮想テスタコマンド入力・結果表示画面生成機能は、各操作画面の所定の領域に必要に応じて選択的に表示されることを特徴とする。
【発明の効果】
【００１６】
本発明によれば、ユーザーインタフェースとしての操作画面の操作性の優れたＬＳＩテスタを実現できる。
【発明を実施するための最良の形態】
【００１７】
以下、本発明について、図面を用いて詳細に説明する。図１は本発明の一実施例を示すブロック図である。図１において、テスタコマンド入力・結果表示画面生成機能は、実体部と仮想部に分割されている。
【００１８】
すなわち、ＬＳＩテスタの下層部７には、バスを介して、実体テスタコマンド入力・結果表示画面生成部８、デバッグ画面生成部９、量産検査画面生成部１０、統合画面生成部１１、仮想テスタコマンド入力・結果表示画面生成部１２、表示部１３などが接続されている。
【００１９】
ここで、デバッグ画面生成部９、量産検査画面生成部１０および統合画面生成部１１には、画面を生成する部品ツールとして、それぞれ仮想テスタコマンド入力・結果表示画面生成部９ａ，１０ａ，１１ａが取り込まれ実装されている。
【００２０】
なお、デバッグ画面は従来と同様に検査対象ＬＳＩの仕様に基づいて作成されるテスト用プログラムのデバッグ作業時に用いられ、量産検査画面も従来と同様にＬＳＩ製造工場の検査工程におけるパス／フェイルの検査結果表示用に用いられる。
【００２１】
統合画面は、複数の操作画面、たとえば量産検査画面と評価解析画面を１枚の画面に統合したものであって、画面を切り替えることなく関連情報を１枚の画面から把握できる。これは、従来の構成では表示部６の表示画面上においてほぼ１／２の面積を占める状態で全体が常時表示されていたテスタコマンド入力・結果表示画面を仮想部と実体部に分離して仮想部のみを各操作画面に実装して表示するようにしたことにより、実質的に操作画面としての有効可能領域が拡大できたことに基づく。
【００２２】
この結果、表示部１３に表示されるこれらデバッグ画面、量産検査画面および統合画面の一部には、テスタコマンド入力・結果表示画面が組み込まれて表示される。なお、仮想テスタコマンド入力・結果表示画面生成部１２で生成されるテスタコマンド入力・結果表示画面は、単独で表示される。
【００２３】
このような構成において、実体テスタコマンド入力・結果表示画面生成部８は、入出力テキストの処理など、従来のテスタコマンド入力・結果表示画面生成部と同様の動作を行うが、表示部１３への表示は行わない。
【００２４】
仮想テスタコマンド入力・結果表示画面生成部９ａ，１０ａ，１１ａ，１２は、ユーザーの入力を実体テスタコマンド入力・結果表示画面生成部８に転送し、この実体テスタコマンド入力・結果表示画面生成部８が入力情報の処理を行う。そして、実体テスタコマンド入力・結果表示画面生成部８に転送されたユーザー入力情報、処理結果、ＬＳＩテスタ下層部７からのメッセージの内容は、全ての仮想テスタコマンド入力・結果表示画面生成部９ａ，１０ａ，１１ａ，１２に表示される。
【００２５】
これにより、表示部１３には、デバッグ画面、量産検査画面および統合画面を、それぞれ任意の位置に、任意の大きさで配置でき、画面デザインの自由度が上がり、かつ利便性が向上する。
【００２６】
そして、これらデバッグ画面、量産検査画面および統合画面の利用場面に応じて、従来のテスタコマンド入力・結果表示画面生成の機能を使用することができ、機能性を損なわない。
【００２７】
さらに、テスタコマンド入力・結果表示画面生成機能の表示情報は、実体テスタコマンド入力・結果表示画面で一元的に管理されるので、情報の分割や損失などが発生することもない。
【００２８】
なお、操作画面生成機能に画面生成ツールとして実装された仮想テスタコマンド入力・結果表示画面生成機能は、コマンド入力などの画面操作が必要な場合のみに各操作画面の所定の領域に選択的にたとえばポップアップ表示するようにしてもよい。これにより、ユーザーは操作画面とキャラクタベースのコマンド入力インタフェースを一連の操作の流れの中で違和感なくスムーズに切り替えることができるとともに、各操作画面の操作を行わない状態での表示情報を充実させることができる。
【００２９】
以上説明したように、本発明によれば、テスタコマンド入力・結果表示画面の機能・利便性を損なうことなく表示画面にテスタコマンド入力・結果表示画面以外の操作画面も適切な大きさで表示できる操作性の優れたＬＳＩテスタが実現できる。
【図面の簡単な説明】
【００３０】
【図１】本発明の一実施例を示すブロック図である。
【図２】従来のＬＳＩテスタのブロック図である。
【符号の説明】
【００３１】
７  ＬＳＩテスタ下層部
８  実体テスタコマンド入力・結果表示画面生成部
９  デバッグ画面生成部
１０  量産検査画面生成部
１１  統合画面生成部
１２  キャプチャメモリ
１３  仮想テスタコマンド入力・結果表示画面生成部
【図１】
0004962790.tif 000002
【図２】
0004962790.tif 000003